(57)【要約】【課題】申込者が濁音や半濁音を１マスに収めて正しく記入できるようにすること。【解決手段】申込用紙３は、所定の申し込みに必要な記入事項が記入される記入欄を含み、少なくとも当該記入欄にコード化パターンが印刷された申込用紙であって、記入欄には、１文字が記入されるマス３１１が、横方向に連続して繰り返し配置されている。マス３１１は、主領域３１１Ｌと、従領域３１１Ｒとを有している。従領域３１１Ｒは、主領域３１１Ｌの右方に配置され、主領域３１１Ｌとは視覚効果が異なり、主領域３１１Ｌと比較して小面積となっている。【選択図】図２
0003169681.tif 000002
【実用新案登録請求の範囲】
【請求項１】
所定の申し込みに必要な記入事項が記入される記入欄を含み、少なくとも当該記入欄にコード化パターンが印刷された申込用紙であって、
前記記入欄には、１文字が記入されるマスが、横方向に連続して繰り返し配置されており、
前記マスは、
主領域と、
前記主領域の右方に配置され、前記主領域とは視覚効果が異なり、前記主領域と比較して小面積の従領域と、
を有することを特徴とする申込用紙。
【請求項２】
前記記入欄は、フリガナを記入する欄であり、
前記従領域は前記主領域よりも色が濃いか、前記従領域は前記主領域よりも網点ないし斜線のパターンが変化していることを特徴とする請求項１に記載の申込用紙。
【請求項３】
所定の申し込みに必要な記入事項が記入される記入欄を含み、少なくとも当該記入欄にコード化パターンが印刷された申込用紙と、
申込者が前記申込用紙に前記記入事項を記入するために用いられ、前記申込者による記入の際に記入情報を送信する電子ペンと、
前記電子ペンからの前記記入情報を受信し、当該記入情報に基づいてストローク群を描画し、文字認識処理を行って、当該ストローク群により表わされる文字を示す文字情報を生成するコンピュータ装置と、
を備える申込用紙記入情報処理システムであって、
前記申込用紙の前記記入欄には、１文字が記入されるマスが、横方向に連続して繰り返し配置されており、
前記マスは、
主領域と、
前記主領域の右方に配置され、前記主領域とは視覚効果が異なり、前記主領域と比較して小面積の従領域と、
を有し、
前記コンピュータ装置は、前記マス内に記入されたストローク群を認識し、前記文字認識処理を行って、当該ストローク群により表わされる１文字を示す文字情報を生成する、
ことを特徴とする申込用紙記入情報処理システム。
【請求項４】
前記記入欄は、フリガナを記入する欄であり、
前記従領域は前記主領域よりも色が濃いか、前記従領域は前記主領域よりも網点ないし斜線のパターンが変化していることを特徴とする請求項３に記載の申込用紙記入情報処理システム。
【考案の詳細な説明】
【技術分野】
【０００１】
本考案は、申込者が濁音や半濁音を１マスに収めて正しく記入することが可能な申込用紙及び申込用紙記入情報システムに関する。
【背景技術】
【０００２】
記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。利用者が専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、申込者が書き込んだ文字、画像等の記入情報が認識される。そして、この記入情報が、データ通信ユニットによりアノトペンから近くのコンピュータ装置等に送信される（例えば、特許文献１参照）。
【０００３】
このような電子ペン及びその専用紙は、各種各様の分野に適用することができる。
例えば、金融機関に対してカードの発行を申し込む者（以下、「申込者」と呼ぶ）は、当該金融機関により指定された申込用紙に対して、氏名や住所等の必要事項を記入する。このような申込用紙として、電子ペンの専用紙を採用し、記入デバイスとして、電子ペンを採用することができる。この場合、申込者が、電子ペンで申込用紙（専用紙）に必要事項を記入すると、その記入情報がコンピュータ装置等に送信される。コンピュータ装置等は、当該記入情報に基づいて各種処理を実行する（例えば、特許文献２参照）。なお、このようにして構築されるシステム、即ち、電子ペン、専用紙からなる申込用紙、及びコンピュータ装置等を含むシステムを、以下、申込用紙記入情報処理システムと呼ぶ。
【先行技術文献】
【特許文献】
【０００４】
【特許文献１】特許第３８７２４９８号公報
【特許文献２】特開２００４−０９４４１９号公報
【考案の概要】
【考案が解決しようとする課題】
【０００５】
しかしながら、申込用紙は金融機関毎に指定されるため、異なるフォーマットの申込用紙が混在している。このため、所定の金融機関のカードを申し込む申込者は、他の金融機関の申込用紙に採用されている別のフォーマットに慣れていると、当該所定の金融機関の申込用紙に対して、必要事項を正しく記入できないことがある。
【０００６】
例えば、申込用紙には、氏名や住所にフリガナを記入するための記入欄が設けられている。この記入欄は複数のマスから構成されており、各マスには、日本語のひらがなやカタカナが１文字ずつ記入される。ここまでの内容は、金融機関によらず一般的な内容である。
【０００７】
しかしながら、ひらがなやカタカナには、「だ」や「ダ」といった濁音と、「ぱ」や「パ」といった半濁音とが含まれている。このため、濁音を表記する濁点や、半濁音を表記する半濁点の取り扱いが、各金融機関によって異なっている。
【０００８】
具体的には、とある金融機関では、濁点又は半濁点を１文字として取り扱い、１マスに記入する第１フォーマットが採用される。即ち、申込者は、第１フォーマットに従って濁音又は半濁音を記入する場合、濁点又は半濁点以外の部分を１マスに記入し、濁点又は半濁点を、当該１マスの右隣に配置された別の１マスに記入する必要がある。
【０００９】
一方で、別の金融機関では、濁点又は半濁点を１文字として取り扱わずに、濁音又は半濁音を全て１マスに記入する第２フォーマットが採用される。即ち、申込者は、第２フォーマットに従って濁音又は半濁音を記入する場合、当該濁音又は半濁音を全て１マスに記入する必要がある。
【００１０】
図９は、従来の申込用紙に含まれる一部の記入欄６０を示す。
第１フォーマットが採用されている申込用紙に対して、「ダ」という濁音が記入される場合、図９（Ａ）に示すように、「タ」という濁点以外の部分と、「゛」という濁点とが別々のマスに記入されることは、正しい記入の仕方である。
しかしながら、第２フォーマットが採用されている場合には、濁音は１マスに記入されることが要求されているため、図９（Ａ）に示すように濁点以外の部分と濁点とが別々のマスに記入されることは、誤まった記入の仕方である。
即ち、第１フォーマットに慣れている申込者は、たとえ第２フォーマットの申込用紙であったとしても、図９（Ａ）に示す記入の仕方で濁音や半濁音を記入してしまうことがある。しかしながら、この記入は、第２フォーマットでは要求されていない誤記入である。このような誤記入をしないように、注意書が申込用紙に予め印字されていることが一般的であるが、このような注意書は、誤記入を効果的に抑制するまでは至っていない。
【００１１】
また、第２フォーマットを理解している申込者であっても、図９（Ｂ）に示すように、濁点や反濁点を１マスからはみ出して記入してしまうことが多々ある。このようなはみ出した記入も、正しい記入の仕方とはいえない。
【００１２】
このため、第２フォーマットの申込用紙の記入欄に対して、申込者が、濁音や半濁音を１マスに収めて正しく記入することが可能となる手法の実現が要求されている。特に、申込用紙記入システムが採用されている場合には、このような手法の実現は重要である。１マス内に電子ペンで記入された内容はコンピュータ装置側で文字認識されることがあり、正しい記入の仕方がなされていないと、文字認識の成功率が低くなるからである。
【００１３】
本考案は、このような状況に鑑みてなされたものであり、申込者が、濁音や半濁音を１マスに収めて正しく記入することが可能になる申込用紙及び申込用紙記入システムを提供することを目的とする。
【課題を解決するための手段】
【００１４】
本考案に係る申込用紙は、所定の申し込みに必要な記入事項が記入される記入欄を含み、少なくとも当該記入欄にコード化パターンが印刷された申込用紙であって、前記記入欄には、１文字が記入されるマスが、横方向に連続して繰り返し配置されており、前記マスは、主領域と、前記主領域の右方に配置され、前記主領域とは視覚効果が異なり、前記主領域と比較して小面積の従領域と、を有することを特徴とする。
【００１５】
この構成によれば、１文字が記入されるマスには、主領域と従領域とが設けられている。この従領域は、主領域の右方に配置され、主領域とは視覚効果が異なり、主領域と比較して小面積となっている。
これにより、申込者は、マスを視認すると、主領域とは明確に区別して従領域の存在を認識して、心理的に、濁音や半濁音を、当該従領域を超えて記入しないようにするという意識が働き、濁音や半濁音をマス内に収めて記入することができる。
このようにして、申込者が濁音や半濁音を１マスに収めて正しく記入することが可能になる。
【００１６】
上記申込用紙において、前記記入欄は、フリガナを記入する欄であり、前記従領域は前記主領域よりも色が濃いか、前記従領域は前記主領域よりも網点ないし斜線のパターンが変化しているとよい。
この構成により、主領域と従領域と区別が視認により分かりやすく、濁音や半濁音をマス内に収めて記入しやすい。
【００１７】
また、本考案に係る申込用紙記入情報システムは、所定の申し込みに必要な記入事項が記入される記入欄を含み、少なくとも当該記入欄にコード化パターンが印刷された申込用紙と、申込者が前記申込用紙に前記記入事項を記入するために用いられ、前記申込者による記入の際に記入情報を送信する電子ペンと、前記電子ペンからの前記記入情報を受信し、当該記入情報に基づいてストローク群を描画し、文字認識処理を行って、当該ストローク群により表わされる文字を示す文字情報を生成するコンピュータ装置と、を備える申込用紙記入情報処理システムである。前記申込用紙の前記記入欄には、１文字が記入されるマスが、横方向に連続して繰り返し配置されており、前記マスは、主領域と、前記主領域の右方に配置され、前記主領域とは視覚効果が異なり、前記主領域と比較して小面積の従領域と、を有し、前記コンピュータ装置は、前記マス内に記入されたストローク群を認識し、前記文字認識処理を行って、当該ストローク群により表わされる１文字を示す文字情報を生成する、ことを特徴とする。
【００１８】
この構成によれば、１文字が記入されるマスには、主領域と従領域とが設けられている。この従領域は、主領域の右方に配置され、主領域とは視覚効果が異なり、主領域と比較して小面積となっている。
これにより、申込者は、マスを視認すると、主領域とは明確に区別して従領域の存在を認識して、心理的に、濁音や半濁音を、当該従領域を超えて記入しないようにするという意識が働き、濁音や半濁音をマス内に収めて記入することができる。
このようにして、申込者が濁音や半濁音を１マスに収めて正しく記入することが可能になる。
さらに、このようにして正しく１マスに記入された際の記入情報が電子ペンからコンピュータ装置に送信され、コンピュータ装置において、ストローク群が描画されて、文字認識処理が行われる。従って、濁音や半濁音の文字認識処理について、成功率の向上が見込まれる。
【００１９】
上記申込用紙記入情報システムにおいて、前記記入欄は、フリガナを記入する欄であり、前記従領域は前記主領域よりも色が濃いか、前記従領域は前記主領域よりも網点ないし斜線のパターンが変化しているとよい。
この構成により、主領域と従領域と区別が視認により分かりやすく、濁音や半濁音をマス内に収めて記入しやすい。
【考案の効果】
【００２０】
本考案によれば、申込者が濁音や半濁音を１マスに収めて正しく記入することが可能になる。
【図面の簡単な説明】
【００２１】
【図１】本考案の一実施形態に係る申込用紙記入処理システムのシステム構成図である。
【図２】本実施形態における申込用紙の記入面について一例を示す模式図である。
【図３】本実施形態に係る申込用紙のうち、文字記入用の記入欄の一部を示す模式図である。
【図４】ドットパターンにおけるドットの配置と変換される値との関係を示す説明図である。
【図５】（Ａ）は、ドットパターンを模式的に示し、（Ｂ）は、それに対応する情報の例を示す図である。
【図６】電子ペンの構造を示す概略図である。
【図７】本考案の一実施形態に係る申込用紙記入処理システムのうち、受付端末とデータ保存用サーバとの機能ブロック図である。
【図８】本考案の一実施形態に係る申込用紙に含まれるマスの構成について別の例を示す。
【図９】従来の申込用紙に含まれる記入欄の一部を示す概略図である。
【考案を実施するための形態】
【００２２】
以下、図面を参照しながら、本考案の申込用紙記入処理システムの実施形態について説明する。
【００２３】
〔申込用紙記入処理システムの構成〕
図１は、本考案の一実施形態に係る申込用紙記入処理システム１０の概要を示す。本実施形態に係る申込用紙記入処理システム１０は、所定の金融機関における、カード発行の申し込みのために構築されている。図１に示すように、申込用紙記入処理システム１０は、電子ペン１と、ｎ台（ｎは１以上の整数値）の受付端末２−１〜２−ｎと、申込用紙３と、ハブ４と、データ保存用サーバ５と、を有する。
【００２４】
申込者は、電子ペン１を用いて、ドットパターンが印刷された申込用紙３に対して、住所や氏名等の必要事項を、手書きのストローク群により記入することができる。具体的には、申込用紙３には、複数のマスからなる各種記入欄が設けられており、申込者は、電子ペン１を用いて、各マスに対して、１文字に相当する手書きのストローク群を記入することができる。電子ペン１からの記入情報は、Ｂｌｕｅｔｏｏｔｈ（登録商標）により、受付端末２に無線送信される。
【００２５】
ｎ台の受付端末２−１〜２−ｎは、パーソナルコンピュータ（Ｐｅｒｓｏｎａｌ  ｃｏｍｐｕｔｅｒ）等で構成されている。受付端末２−１〜２−ｎの各々は、ハブ４を介して所定のネットワークに接続されており、当該ネットワークを介してデータ保存用サーバ５と各種情報を送受信する。なお、以下、受付端末２−１〜２−ｎを個々に区別する必要がない場合にはこれらをまとめて、単に「受付端末２」と呼ぶ。
受付端末２は、申込用紙３の所定のマスに電子ペン１で記入されている際に当該電子ペン１から逐次送信されてくる記入情報を受信すると、これらの記入情報に基づいて、当該所定のマス内に記入されたのと等価なストローク群を描画する。受付端末２は、このようなストローク群を、ディスプレイに表示したり、文字認識処理を施して文字情報にしたりして、ハブ４を介してデータ保存用サーバ５に送信する。
【００２６】
データ保存用サーバ５は、受付端末２から送信されてきた文字情報を受信すると、申込用紙３に記入された内容として記憶する。
【００２７】
［申込用紙］
図２は、本実施形態における申込用紙３の記入面について、一例を説明する図である。
図２に示すように、申込用紙３には、申込日記入欄３０と、住所氏名記入欄３１と、カード利用代金お支払い口座記入欄３２とが設けられている。
【００２８】
住所氏名記入欄３１には、申込者の個人情報として、氏名のフリガナ、氏名（お名前）、住所のフリガナ、及び住所（ご住所）の各々が記入される記入欄が設けられている。
カード利用代金お支払い口座記入欄３２には、カードの利用代金を引き落とすための口座の情報として、金融機関、支店名、及び口座番号の各々が記入される記入欄が設けられている。
これらの記入欄のうち、文字（当該文字に相当する、電子ペン１による手書きストローク群）記入用の記入欄における上方又は下方の境界には、マス３１１よりも、より濃い領域の境界領域３１２が設けられている。
【００２９】
図３は、本実施形態に係る申込用紙３のうち、文字記入用の記入欄の一部を示す。
図３（Ａ）に示すように、文字記入用の記入欄には、複数のマス３１１が連続して繰り返し配置されている。
本実施形態の申込用紙３に対する記入のフォーマットとして、［考案が解決しようとする課題］の欄で上述した第２フォーマットと同様のフォーマットが採用されている。即ち、本実施形態では、１つのマス３１１に対して１文字（当該１文字に相当する、電子ペン１による手書きのストローク群）が記入されること、及び、濁音や半濁音は全体として１文字として１つのマス３１１内に記入されることが規定されている。
そこで、申込者が濁音や半濁音であっても１つのマス３１１内に収めて記入できるように、１つのマス３１１は、左側の主領域３１１Ｌと、右側の従領域３１１Ｒとに区分されている。従領域３１１Ｒは、主領域３１１Ｌと比較して、視覚効果が異なるように色が濃くされており、かつ、小面積になっている。
【００３０】
これにより、申込者が、従来の１マス内に濁音や半濁音を記入する第２フォーマットに元々慣れ親しんでいる場合、心理的に、１つのマス３１１のうち主領域３１１Ｌが従来の１マスに相当すると判断する。その結果、図３（Ｂ）に示すように、申込者は、電子ペン１を用いて、濁音や半濁音（同図の例では「ダ」という濁音）に相当する手書きのストローク群を、主領域３１１Ｌに収まるように記入する。
【００３１】
一方で、申込者が、［考案が解決しようとする課題］の欄で上述した第１フォーマット、即ち従来の２マス分を用いて濁音や半濁音を記入する第１フォーマットに慣れ親しんでいる場合、心理的に、１つのマス３１１のうち、主領域３１１Ｌに、濁点や半濁点以外の部分を記入し、従領域３１１Ｒに、濁点や半濁点を記入することが要求されていると判断する。その結果、図３（Ｃ）に示すように、申込者は、電子ペン１を用いて、濁点や半濁点以外の部分（同図の例では「タ」という部分）に相当する手書きのストローク群を、主領域３１１Ｌに収まるように記入する。そして、申込者は、電子ペン１を用いて、濁点や半濁点（同図の例では「゛」という濁点）に相当する手書きのストローク群を、従領域３１１Ｒに収まるように記入する。
【００３２】
さらに、従領域３１１Ｒは、主領域３１１Ｌとは視覚効果が異なるため、申込者は、心理的に、２つの主領域３１１Ｌの間における境界を示すように判断する。その結果、申込者は、上述の図９（Ｂ）に示すように、１つのマス３１１を飛び越えて右隣のマス３１１に侵食するように、１文字（手書きのストローク群）を記入することもなくなる。
【００３３】
このように、本実施形態では、１つのマス３１１内の右側には、視覚効果が異なる従領域３１１Ｒが設けられているので、どのような申込者であっても、心理的に、濁音や半濁音が１つのマス３１１内に収まるように正しく記入されるものと想定される。
【００３４】
［ドットパターン］
このような申込用紙３は、上述したようにドットパターン用紙として構成されている。そこで、以下、ドットパターン用紙に形成されるアノト方式のドットパターン（コード化パターン）について説明する。
図４は、ドットパターンのドットと、そのドットが変換される値との関係を説明する図である。
図４に示すように、ドットパターンの各ドットは、その位置によって所定の値に対応付けられている。即ち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、ドットパターン用紙の位置座標が決定されるよう構成されている。
【００３５】
図５（Ａ）は、あるドットパターンの配列を示している。図５（Ａ）に示すように、縦横約２ｍｍの範囲内に６×６個のドットが、ドットパターン用紙のどの部分から６×６ドットを取ってもユニークなパターンとなるように配置されている。これら３６個のドットにより形成されるドットパターンは位置座標（例えば、そのドットパターンがドットパターン用紙においてどの位置にあるのか）を保持している。図５（Ｂ）は、図５（Ａ）に示す各ドットを、格子の基準位置からのシフト方向によって、図４に示す規則性に基づいて対応付けられた値に変換したものである。この変換は、ドットパターンを撮影する電子ペン１によって行われる。
【００３６】
［電子ペン］
次に電子ペン１について説明する。
図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、申込者は、電子ペン１のペン先部１０３をドットパターン用紙上に当接させて、文字等の手書きのストロークを記入したり、タップ（ペン先部１０３によるドットパターン用紙への軽叩）したりする。ここで、電子ペン１のペン先部１０３がドットパターン用紙に最初に接触することをペンダウンと呼び、電子ペン１のペン先部１０３が接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
また、電子ペン１をペンダウンすることでペン先部１０３からドットパターン用紙上に流出するインクにより、ストロークと略同一軌道の軌跡がドットパターン用紙上に書き込まれる。
【００３７】
バッテリー１１２は、電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ：記入された時刻情報）を示す時刻情報を発信し、プロセッサ１０８に供給する。圧力センサ１０７は、申込者が電子ペン１によりドットパターン用紙に文字やマークを書いたりタップしたりする際にペン先部１０３からインクカートリッジ１０４を通じて与えられる圧力、即ち筆圧を検出し、その値をプロセッサ１０８へ伝送する。
【００３８】
プロセッサ１０８は、圧力センサ１０７から与えられる筆圧データに基づいて、ＬＥＤ１０５及びＣＭＯＳカメラ１０６のスイッチのオン／オフを切替える。即ち、申込者が電子ペン１でドットパターン用紙に文字等を書くと、ペン先部１０３に筆圧がかかり、圧力センサ１０７によって所定値以上の筆圧が検出されたときに、プロセッサ１０８は、申込者が記入を開始したと判定して、ＬＥＤ１０５及びＣＭＯＳカメラ１０６を作動させる。そして、通信ユニット１１１が、圧力センサ１０７により検出されたペンダウン情報と、後述するペンＩＤとを関連付けて、記入情報として受付端末２へ送信する。また、申込者が１つのストロークを記入し終えて電子ペン１をドットパターン用紙から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として受付端末２へ送信する。
【００３９】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、ドットパターン用紙上のペン先部１０３近傍に向けて赤外線を照明する。その領域は、ペン先部１０３がドットパターン用紙に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。
ここで、ドットのインク素材は、赤外線を吸収するため、ＬＥＤ１０５によって照射された赤外線は、ドットによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図５（Ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４０】
プロセッサ１０８は、申込者の記入が行われる間、ＣＭＯＳカメラ１０６によって供給される画像データのドットパターンから、申込者が記入する手書きのストローク（筆跡）のドットパターン用紙におけるＸ，Ｙ座標（単に「位置座標」、「座標情報」とも呼ぶ）を連続的に演算していく。即ち、プロセッサ１０８は、ＣＭＯＳカメラ１０６によって供給される、図５（Ａ）に示されるようなドットパターンの画像データを図５（Ｂ）に示すデータ配列に変換し、さらに、Ｘ座標ビット値・Ｙ座標ビット値に変換して、そのデータ配列から所定の演算方法によりＸ，Ｙ座標データを演算する。なお、プロセッサ１０８は、ドットパターンに対向する電子ペン１の角度に起因する、ドットの画像上の配列を補正する回転補正処理機能を備えており、位置座標を演算する際に用いられる。そして、プロセッサ１０８は、リアルタイムクロック１１０から発信される現在時刻（タイムスタンプ）、筆圧データ及びＸ，Ｙ座標データを関連付ける。以後、これらの関連付けたデータを、まとめて「座標属性情報」と呼ぶ。なお、ドットパターン用紙における６×６のドットパターンは、ドットパターン用紙内で重複することはないため、申込者が電子ペン１で文字等を記入すると、記入された位置がドットパターン用紙のどの位置に当たるかを、プロセッサ１０８による座標演算により特定することができる。
【００４１】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、座標属性情報（時刻情報と、筆圧データと、Ｘ，Ｙ座標データ）とを関連付けて、記入情報として受付端末２へ送信する。通信ユニット１１１による受付端末２への送信は、Ｂｌｕｅｔｏｏｔｈ（登録商標）等の無線送信によって、即時的かつ逐次的に行われる。ここで、電子ペン１のペンダウンからペンアップまでの間に生成されて受付端末２に送信された１個又は複数個の記入情報（座標属性情報）は、受付端末２によりストローク情報として記憶される。換言すると、１つのストロークは、１個又は複数個のＸ，Ｙ座標（座標点）に基づいて描画されるため、受付端末２は、ペンダウン情報及びペンアップ情報によって、１つのストロークを描画するために必要な１個又は複数個の座標属性情報を認識する。このように、申込者が１つのストロークを記入することにより、電子ペン１によって生成される座標属性情報の集合を「ストローク情報」と呼ぶ。また、ペン先部１０３は、筆圧を、インクカートリッジ１０４を介して圧力センサ１０７に伝達する。
【００４２】
［受付端末］
受付端末２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等を含むパーソナルコンピュータ等で構成される。
図７は、申込用紙記入処理システム１０のうち、受付端末２とデータ保存用サーバ５との機能ブロック図である。
図７に示すように、受付端末２は、機能的には、受信手段２１と、入力手段２２と、記憶手段２３と、表示手段２４と、送信手段２５と、処理手段２６とを備える。
【００４３】
受信手段２１は、アンテナ送受信回路等により構成され、電子ペン１から記入情報等を受信し、処理手段２６に伝送する。なお、電子ペン１とのデータ通信方式は、有線及び無線を含めて様々な手法が利用可能であるが、本実施形態ではＢｌｕｅｔｏｏｔｈ（登録商標）を用いる通信方式が採用されている。
入力手段２２は、マウスやキーボード等により構成され、申込者の操作に応じた各種情報を入力し、処理手段２６に供給する。
記憶手段２３は、ハードディスクやＲＯＭ、ＲＡＭといったメモリによって構成される。記憶手段２３は、処理手段２６の指示に従って、電子ペン１から受信した記入情報をペンＩＤ毎に記憶する他、後述の処理手段２６から出力された文字情報等、各種情報を記憶する。記憶手段２３はまた、申込用紙３のフォーマット情報を記憶する。申込用紙３のフォーマット情報は、申込用紙３に印刷されたドットパターンと各記入欄との対応関係も含む。
【００４４】
表示手段２４は、処理手段２６によって指示された内容を画像として表示する。字等を示すストローク群を、申込用紙画像内の対応する位置に表示する。
送信手段２５は、処理手段２６の指示に従って、後述の処理手段２６から出力された文字情報等、各種情報をデータ保存用サーバ５に送信する。なお、データ保存用サーバ５へのデータ送信方式は、特に限定されないが、本実施形態では、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）プロトコルに準拠したネットワークを介在する方式が採用されている。
【００４５】
処理手段２６は、受信手段２１〜送信手段２５を制御して各種情報を授受することで、各種の処理を実行する。
【００４６】
例えば、処理手段２６は、受信手段２１に受信された電子ペン１の記入情報から、申込用紙３に含まれる各記入欄のうち、電子ペン１による記入対象となったマス３１１を認識する。具体的には、処理手段２６は、記入情報と予め既知のドットの配置から、申込用紙３のどの位置に記入がなされたかを特定する。そして、処理手段２６は、申込用紙３上の位置と、申込用紙３の各記入欄における各マス３１１との対応関係に基づいて、記入対象のマス３１１を特定する。
なお、申込用紙３上の各マス３１１とドットパターン上の座標範囲との対応関係を示すテーブル（座標定義情報）は、上述した申込用紙３のフォーマット情報に含められて、記憶手段２３に記憶されているものとする。
【００４７】
処理手段２６は、受信手段２１に受信された電子ペン１の記入情報から、記入対象のマス３１１内に記入されたストローク群を認識し、文字認識処理により、当該ストローク群により表わされる１文字を文字情報として認識する。処理手段２６は、認識した文字情報（テキスト情報；文字コード）を記憶手段２３、表示手段２４、及び送信手段２５等に供給する。
【００４８】
処理手段２６は、申込用紙３を示す画像（図２と等価な画像であり、以下、「申込用紙画像」と呼ぶ）を表示手段２４に表示させる。処理手段２６はまた、認識した文字情報に対応する１文字を、当該申込用紙画像のうち、記入対象のマス３１１内の対応する位置に表示させる。
申込者は、表示手段２４に表示された申込用紙画像を視認することで、正しい記入ができているか否かを容易に確認することができる。
【００４９】
処理手段２６は、認識した文字情報を、送信手段２５からハブ４（図７に図示せず。図１参照）及びネットワークを介してデータ保存用サーバ５に送信する。
【００５０】
［データ保存用サーバ］
データ保存用サーバ５は、ハードウェアとして、ＣＰＵ等のプロセッサ、ＲＯＭやＲＡＭといったメモリ、ディスプレイ、マウスやキーボード等を含むコンピュータ等で構成される。
図７に示すように、データ保存用サーバ５は、機能的には、受信手段５１と、記憶手段５２と、処理手段５３とを備える。
【００５１】
受信手段５１は、ネットワークを介して受付端末２から送信されてきた文字情報等の各種情報を受信し、処理手段５３に伝送する。
記憶手段５２は、処理手段５３の指示に従って、受信手段５１に受信された文字情報等、各種情報を記憶する。
処理手段５３は、受信手段５１及び記憶手段５２を制御して各種情報を授受することで、各種の処理を実行する。
金融機関の担当者等は、データ保存用サーバ５に保存された情報から申込用紙３に記入された必要事項を読み出し、カードの発行に必要な各種手続きを行う。
【００５２】
［変形例］
なお、本考案は、上記実施形態に限られない。
本実施形態では、申込用紙３に含まれる各マス３１１のうち、従領域３１１Ｒは、主領域３１１Ｌと比較して色の濃い領域としたが、特にこれに限定されない。
即ち、申込者が、マス３１１を視認すると、主領域３１１Ｌとは明確に区別して従領域３１１Ｒの存在を認識して、心理的に、濁音や半濁音を、当該従領域３１１Ｒを超えて記入しないようにするという意識が働き、濁音や半濁音をマス３１１内に収めて記入することが、本考案の目的の１つである。
この目的の達成のためには、従領域３１１Ｒは、主領域３１１Ｌとは視覚効果が異なり、主領域３１１Ｌよりも小面積であって、主領域３１１Ｌの右方に配置されていれば足りる。
ここで、視覚効果の差異も、申込者が主領域３１１Ｌとは明確に区別して当該従領域３１１Ｒの存在を認識できれば足り、例えば、白と青等のように色彩を変化させて差異をつくってもよいし、薄い青と濃い青等のように同一色彩だが濃度を変化させることで差異をつくってもよい。また、網点や斜線等のパターンを変化させることで差異をつくってもよいし、同一パターンだが、網点や斜線の密度等を変化させることで差異をつくってもよい。
【００５３】
なお、従領域３１１Ｒが主領域３１１Ｌよりも小面積である理由は、次の通りである。即ち、仮に、従領域３１１Ｒが主領域３１１Ｌの面積と同一以上であると、申込者が１マスを誤認識する可能性があるからである。即ち、申込者は、本来、従領域３１１Ｒとその左方の主領域３１１Ｌとが１組になって、１つのマス３１１を構成していると認識しなければならない。ところが、申込者は、従領域３１１Ｒと、その右方にある別のマス３１１の主領域３１１Ｌとで１組になって、１つのマスを構成している誤認する可能性があるからである。
【００５４】
また、従領域３１１Ｒが主領域３１１Ｌの右方にある理由は、濁点や半濁点が文字の右側に振られるからである。
換言すると、従領域３１１Ｒは、濁点や半濁点が振られると予測される位置にあれば足り、本実施形態のように左側全体（上端から下端まで）を占める必要は特にない。
【００５５】
図８は、申込用紙３に含まれるマス３１１の構成について別の例を示す。
図８に示すように、従領域３１１Ｒは、濁点や半濁点が振られると予測される、マス３１１の右上の一部を占めるように設けられてもよい。この場合、マス３１１の右下部分も含め、従領域３１１Ｒ以外の部分が、主領域３１１Ｌになる。
【００５６】
例えば、申込用紙３のマス３１１並びに主領域３１１Ｌ及び従領域３１１Ｒの形状は、本実施形態で四角形の形状とされたが、特にこれに限定されず、任意の形状を取ることができる。
【００５７】
また、電子ペン１を用いる申込用紙３は、ドットパターン用紙に特に限られず、アノト式のドットパターンが印刷された任意の書き込み媒体であってもよい。また、書き込み媒体に印刷されるコード化パターンや記入情報、電子ペンは、アノト方式に限られなくともよい。
また、記入情報の送信方法は、無線方式の代りに、電子ペン１内のメモリ１０９に一旦、記入情報を記憶させ、ＵＳＢ接続により有線で記入情報を受付端末２へ送信してもよい。
【００５８】
さらに、本考案の申込用紙は、１文字を記入するマス内に従領域が設けられていれば足り、コード化パターンの印刷は特に必須ではない。
さらにいえば、本考案の従領域が設けられたマスは、申込用紙に用いられる必要は特になく、濁音や半濁音が記入される可能性がある媒体に広く一般に適用可能である。
【符号の説明】
【００５９】
１…電子ペン
２…受付端末
３…申込用紙
５…データ保存用サーバ
１０…申込用紙記入処理システム
２１…受信手段
２２…入力手段
２３…記憶手段
２４…表示手段
２５…送信手段
２６…処理手段
５１…受信手段
５２…記憶手段
５３…処理手段
３１１…マス
３１１Ｌ…主領域
３１１Ｒ…従領域
【図１】
0003169681.tif 000003
【図２】
0003169681.tif 000004
【図３】
0003169681.tif 000005
【図４】
0003169681.tif 000006
【図５】
0003169681.tif 000007
【図６】
0003169681.tif 000008
【図７】
0003169681.tif 000009
【図８】
0003169681.tif 000010
【図９】
0003169681.tif 000011